(57)【要約】  本発明は、設備の様々な用品に関する衛生状態を改善するよう利用され得る紫外線殺菌装置および／またはオゾン生成器に関連している。設備は、少なくとも１つの紫外線光および／またはオゾン生成器を用いて放射される。本発明は様々な形態を含んでいる。ここで、放射生成源は、好ましくは光伝導性のプラスチック材料から構成される一般的な保持具の内側から光を放射する。これによって、一般的な方法で洗浄された対象物を、使用されるまで無菌状態に保つことができる。本発明はまた、エレメントまたはストリップを保持する一般的なランプ保持具が、引き出しまたはカップボードの中に含まれる対象物の衛生処理のため、引き出しまたはカップボードの中に光生成源を包含するよう使用される形態も含んでいる。また、靴箱の中の履物を殺菌するための放射装置の形態も含まれている。本発明は、一般的な、および病院での設備における家庭用品および設備の衛生処理のために適したものとなっている。
2011524189.tif 000002
【特許請求の範囲】
【請求項１】
微生物および病原菌因子を殺すために紫外線放射および／またはオゾンを生成する様式を用いるタイプの殺菌装置であって、
少なくとも１つの紫外線光および／またはオゾンを生成する生成源（１ａ）を備え、
前記生成源（１ａ）は、用品を収容する保持具の内側から光を放射し、
保持具の材料は、好ましくは、光伝導性のプラスチックの性質および放射に対する透過性を有することを特徴とする殺菌装置。
【請求項２】
微生物および病原菌因子を殺すために紫外線放射および／またはオゾンを生成する様式を用いるタイプの殺菌装置であって、
少なくとも１つの紫外線光および／またはオゾンを生成する生成源（１ｂ）を備え、
前記生成源（１ｂ）は、殺菌される用品がその中に配置されている、一般的な台所用品トレイ（２）を構成する材料の外側から、台所用品のためのキャビティ（８）に光を放射することを特徴とする殺菌装置。
【請求項３】
微生物および病原菌因子を殺すために紫外線放射および／またはオゾンを生成する様式を用いるタイプの殺菌装置であって、
少なくとも１つの紫外線光および／またはオゾンを生成する生成源（１ｃ）を備え、
前記生成源（１ｃ）は、家庭用カラトリーの水切りのために用いられるタイプの、台所用品を収容する保持具の内側で光を放射し、
保持具の材料は、好ましくは、光伝導性のプラスチックの性質および放射に対する透過性を有することを特徴とする殺菌装置。
【請求項４】
微生物および病原菌因子を殺すために紫外線放射および／またはオゾンを生成する様式を用いるタイプの殺菌装置であって、
少なくとも１つの紫外線光および／またはオゾンを生成する生成源（１ｄ）を備え、
前記生成源（１ｄ）は、家庭用品のための一般的な引き出し（３）の中に収容されている殺菌される用品（５）の近傍に配置された一般的なストリップから光を放射することを特徴とする殺菌装置。
【請求項５】
微生物および病原菌因子を殺すために紫外線放射および／またはオゾンを生成する様式を用いるタイプの殺菌装置であって、
少なくとも１つの紫外線光および／またはオゾンを生成する生成源（１ｅ）を備え、
前記生成源（１ｄ）は、一般的なカップボードの中に収容されている殺菌される用品（５）の近傍に配置された一般的なストリップから光を放射することを特徴とする殺菌装置。
【請求項６】
微生物および病原菌因子を殺すために紫外線放射および／またはオゾンを生成する様式を用いるタイプの殺菌装置であって、
少なくとも１つの紫外線光および／またはオゾンを生成する生成源を備え、
前記光放射は、保持具（１２）上に配置されている履物の内側において放射され、
保持具（１２）はさらに、その幾何学的配置のため、履物のための保持手段の機能を満たし、
前記保持具は、好ましくは、光伝導性のプラスチック材料からなることを特徴とする殺菌装置。
【発明の詳細な説明】
【技術分野】
【０００１】
紫外線および／またはオゾンを生成する新規な殺菌装置は、少なくとも１つの紫外線光および／またはオゾンを生成する生成源を用いることによる新規性を提供している。生成源は、一般的な保持具であって、台所用品またはその他の家庭用品を保持または格納するために利用される保持具の内側から光を放射する。保持具は、好ましくは光伝導性の性質を有するプラスチックからなっており、従って、前記放射に対する透過性を有している。カラトリーのトレイまたはディスペンサー（図１および図３）、カラトリー水切りかご（図４）におけるように、または保持具の使用による履物に関するように（図１４）、殺菌装置は、使用者に対して多大な殺菌安全性を提供する。なぜなら、それは、紫外線放射および／またはオゾン生成の殺菌作用による利点を得ているからである。様々な形態が考えられ、ここで、引き出しタンス（図６）、カップボード（図１０）および靴箱（図１３）における従来の保持具の利用により、紫外線放射および／またはオゾン生成が包含される。
【０００２】
本発明は、家財道具の産業部門および病院部門に関連している。
【背景技術】
【０００３】
今日、家庭用品は、洗浄剤を用いる従来の洗浄手順を用いることによって衛生処理されている。これらの手順の後、用品は、使用されるまで様々な保持具または容器の中に放置される。履物への適用の場合、紫外線および／またはオゾンを生成する光による殺菌のための新規な装置が、衛生状態を改善し、また、微生物や悪臭を発生させるバクテリアの増殖を防ぐ。
【発明の概要】
【発明が解決しようとする課題】
【０００４】
先行技術において、家庭用品の無菌状態を維持するために前述のタイプの保持具の中で光を放射する、少なくとも１つの紫外線光および／またはオゾンを生成する生成源を包含することについての知られている示唆はない。同様に、カップボードおよび引き出しタンスの内側のための紫外線光および／またはオゾンの生成の利用は知られていない。従って、今日の保持具における保管が、収容されている台所用品が洗浄された時から当該台所用品が使用される時までの間に当該台所用品が病原菌因子によって汚染されないということを保証しない場合、台所用品が洗浄された時から台所用品が使用される時まで、衛生的な保証を台所用品に得させることが望ましい。また、履物および衣服においても同様である。このことは、とりわけ医療環境に関連している。この目的のため、放射を用いることにより殺され得る非常に高い数の微生物を考慮すれば、本発明は、少なくとも１つの紫外線光および／またはオゾンを生成する生成源を用いて前記用品に光を放射することによる無菌状態の保証を提供する。
【０００５】
台所用品のための一般的な保持具における、本発明による紫外線放射および／オゾン生成の一体化は、台所用品のエレメントにおける的確な無菌状態の保証に対して求められる状態を満足する、新規な最終的な結果を得ることを可能とする。
【課題を解決するための手段】
【０００６】
紫外線および／またはオゾンを生成する新規な殺菌装置は、一般的な保持具（図１および図２）の内側から光を放射する少なくとも１つの紫外線放射および／またはオゾンを生成する生成源１ａを備えている。その他の殺菌装置は、一般的な保持具（図３）の外側から放射された紫外線放射および／またはオゾン生成１ｂを用いる。紫外線放射および／またはオゾンを生成する装置１ｃのその他の形態は、一般的な保持具（図４および図５）の内側から光を放射する。
【０００７】
台所用品またはその他の家庭用品を保持または保管するこれらの一般的な保持具は、好ましくは、光伝導特性を有するプラスチックの性質を有しており、このため、光生成源は、保持具に保持される用品に均一に放射することができる。光伝導性のプラスチック性質を有し、従って、前記紫外線放射および／またはオゾン生成（図１４）に対して透過性となっている保持具１２の利用による履物もまた、均一に放射され得る。
【０００８】
その他の適用において、光放射１ｄが引き出しタンス３（図６）の中のような不透明な組立体に限られるということが満足される。この目的のため、少なくとも１つの紫外線光および／またはオゾンを生成する生成源１ｄの包含が考えられ、この場合、殺菌される用品５の近傍に配置された一般的なストリップ（図７および図８）から光が放射される。またカップボード（図９および図１０）においては、光生成源１ｅが、一般的な保持具６から用品５に光を放射する。
【０００９】
光放射の生成源は、バッテリー７（図２）によって給電されるか、または、パワーグリッド４（図４）から直接に給電される。前記放射の動作期間は、必要であれば、一般的な２４時間プログラムを用いて自動化され得る。
【００１０】
さらに、潜在的に有害な光放射から使用者を保護する目的で、様々な安全システムまたはデバイス１１が用いられる。安全システムまたはデバイス１１は、光放射の生成源が設置されているカップボードまたは引き出しタンスのドアが開放状態にあるときに放射を遮蔽する。
【図面の簡単な説明】
【００１１】
説明を補完するものとして、また、本発明の特徴のより良い理解のため、一連の図が、説明的なメモリと一体的なものとして説明的なメモリに添付される。非限定的な態様における図示のため、以下のものが示されている。
【図１】図１は、一般的な引き出し３の中に配置される前のカラトリートレイ２を示している。符号８は用品が収容されるキャビティを表しており、符号１０はスイッチを表しており、符号１１は安全エレメントを表している。
【図２】図２は、カラトリー保持トレイ２の断面を示している。カラトリー保持トレイ２の内側には、光放射の生成源１ａおよび電源７が視認される。符号１０はスイッチを表しており、符号１１は安全エレメントを表している。
【図３】図３は、カラトリートレイ２を示している。トレイの外側にある光放射の生成源１ｂが視認される。符号８は用品が収容されるキャビティを表しており、符号１０はスイッチを表しており、符号１１は安全エレメントを表している。
【図４】図４は、スイッチ１０を用いることにより電気パワーグリッド４に送られるカラトリー水切り保持具５を示している。
【図５】図５において、内側に、光放射の生成源１ｃが視認される。
【図６】図６は、一般的な引き出し３、家庭用品５および光放射の生成源１ｄの断面を示している。
【図７】図７において、光放射源１ｄを収容するアッセンブリの詳細が示されている。
【図８】図８において、光放射源１ｄを収容するアッセンブリの詳細が示されている。
【図９】図９において、カップボードが示されている。
【図１０】図１０は、カップボードの内側を示している。台所用品５並びに保持具６が示されており、保持具６から、紫外線および／またはオゾンを生成する光が放射される。
【図１１】図１１は保持具６を示しており、保持具６には光放射の生成源１ｅが収容されている。
【図１２】図１２は、開放されているドア９と、紫外線および／またはオゾンを生成する光を拡散させるための保持具１２とを有する靴キャビネットを示す断面図である。
【図１３】図１３は、閉鎖されているドア９と、紫外線および／またはオゾンを生成する光を拡散させるための保持具１２の上に配置された履物とを有する靴キャビネットを示す断面図である。
【図１４】図１４は、履物のための拡散用保持具１２の断面を示している。拡散用保持具１２は、紫外線および／またはオゾンを生成する放射生成源１９を含んでいる。
【発明を実施するための形態】
【００１２】
以下の好ましい形態（図１および図２）に記載される、台所用品のための紫外線および／またはオゾン生成による殺菌装置は、少なくとも１つの紫外線光および／またはオゾンを生成する生成源１ａを備えている。少なくとも１つの紫外線光および／またはオゾンを生成する生成源１ａは、プラスチックの光伝導性の性質を有する本体部２、すなわち前記放射に対する透過性を有する本体部２の中に設けられている。また、プラスチックトレイ２に収容されたバッテリー電源７が設けられている。予め洗浄された用品が、保持具２のキャビティ８の中に配置されている。光放射の生成源を動作させることにより、紫外線および／またはオゾンを生成する生成源１ａから、トレイの壁または表面に放射線が放射され、保持具の表面にわたって光放射が均一に分散する。保持具は、好ましくは、光伝導性のプラスチック材料からなっている。
【００１３】
台所用品のための紫外線および／またはオゾン生成殺菌装置の動作は、一般的なスイッチ１０および一般的なエンドオブラン１１を用いることにより実施される。引き出しが閉鎖されている場合のみ光生成源がオンにされる。従って、使用者への放射線照射を防ぐことができる。
【００１４】
エレメントの材料、形状、寸法および配置は、クレームされる発明の本質的な特徴を変えることが含まれない限りにおいて変更され得る。
【図１】
2011524189.tif 000003
【図２】
2011524189.tif 000004
【図３】
2011524189.tif 000005
【図４】
2011524189.tif 000006
【図５】
2011524189.tif 000007
【図６】
2011524189.tif 000008
【図７】
2011524189.tif 000009
【図８】
2011524189.tif 000010
【図９】
2011524189.tif 000011
【図１０】
2011524189.tif 000012
【図１１】
2011524189.tif 000013
【図１２】
2011524189.tif 000014
【図１３】
2011524189.tif 000015
【図１４】
2011524189.tif 000016
【手続補正書】
【提出日】平成22年3月30日(2010.3.30)
【手続補正１】
【補正対象書類名】明細書
【補正対象項目名】全文
【補正方法】変更
【補正の内容】
【発明の詳細な説明】
【技術分野】
【０００１】
紫外線および／またはオゾンを生成する新規な殺菌カラトリートレイ２は、少なくとも１つの紫外線光および／またはオゾンを生成する生成源を用いることによる新規性を提供している。生成源は、カラトリートレイ１ａの内側から光を放射し、カラトリートレイ１ａに保管または収容されているカラトリーを衛生処理する。新規なカラトリートレイは、この放射に対する透過性を有する光伝導性の材料のプラスチックからなっている。カラトリートレイまたはディスペンサー（図１および図３）におけるように、および、カラトリー水切りかご（図４および図５）におけるように、殺菌カラトリートレイは、使用者に対して多大な殺菌安全性を提供する。なぜなら、それは、カラトリーに向けられる紫外線放射および／またはオゾン生成の殺菌作用による利点を得ているからである。
【０００２】
本発明は、家財道具の産業部門、ホテルの供給物および病院部門に関連している。
【背景技術】
【０００３】
今日、カラトリーは、洗浄剤を用いる従来の洗浄手順を用いることによって衛生処理されている。これらの手順の後、用品は、使用されるまで様々な保持具または容器の中に放置される。
先行技術において、紫外線放射の利用による殺菌のための一般的な装置が知られている。この装置において、均一に拡散する放射のため、通常、拡散器および反射スクリーンなど様々な外部のエレメントが適用されている。または、紫外線放射の前記生成源が、蓋としても用いられる容器アッセンブリのその他のエレメントを用いることにより均質化され反射されている。
【発明の概要】
【発明が解決しようとする課題】
【０００４】
先行技術において、家庭用品の無菌状態を維持するためにカラトリー保持トレイの中で光伝導性の材料を介して光を放射する、少なくとも１つの紫外線光および／またはオゾンを生成する生成源を包含することについての知られている示唆はない。
従って、今日のカラトリートレイにおける保管が、収容されている台所用品が洗浄された時から当該台所用品が使用される時までの間に当該台所用品が病原菌因子によって汚染されないということを保証しない場合、台所用品が洗浄された時から台所用品が使用される時まで、衛生的な保証を台所用品に得させることが望ましい。このことは、とりわけ医療環境に関連している。
【０００５】
台所用品のためのカラトリートレイにおける、本発明による紫外線放射および／オゾン生成の一体化は、カラトリーにおける的確な無菌状態の保証に対して求められる状態を満足する、新規な最終的な結果を得ることを可能とする。
このため、本発明は、紫外線放射を拡散させ均質化するため、それ自体が光伝導性を有するプラスチックを用いてカラトリートレイを構成して、少なくとも１つの紫外線および／またはオゾンを生成する光を前記用品に放射することの適用による無菌状態の保証を提供する。カラトリートレイの成形物は、特にカラトリーを収容するためのキャビティを有している。
【課題を解決するための手段】
【０００６】
紫外線殺菌および／またはオゾン生成が提供される新規なカラトリートレイは、一般的なカラトリー保持トレイ（図１および図２）の内側から光を放射する少なくとも１つの紫外線放射の生成源および／またはオゾンを生成する生成源１ａを備えている。その他の紫外線放射および／またはオゾンを生成する装置の形態は、装置１ｂにおけるそれ自体が光伝導性を有する材料の表面から光を放射する（図３）。紫外線放射および／またはオゾンを生成する装置であって、その中にカラトリーが垂直に配置されている装置というその他の形態が考えられる。この場合、一般的な洗浄の後の水切り、および、紫外線光の生成源１ａによる装置の内側からの放射が可能となっている（図４および図５）。
【０００７】
カラトリーを保持または保管するこれらのカラトリートレイは、好ましくは、光伝導特性を有するプラスチックの性質を有しており、このため、光生成源１ａは、用品を保持するためのキャビティに導かれてキャビティに均一に放射することができる。
【０００８】
光伝導性のプラスチックの性質は、異なる屈折率を有する２つのガラス質のポリマーを組み合わせることにより得られる。
【０００９】
光放射の生成源は、バッテリー６（図２）によって給電されるか、または、電気パワーグリッド４（図４）から直接に給電される。前記放射の動作期間は、必要であれば、一般的な電子回路部品を用いて自動化され得る。
【００１０】
さらに、潜在的に有害な光放射から使用者を保護する目的で、様々な安全システムまたはデバイス９が用いられる。安全システムまたはデバイス９は、光放射の生成源が設置されている引き出しタンス３のドアが開放状態にあるときに放射を遮蔽する。
【図面の簡単な説明】
【００１１】
説明を補完するものとして、また、本発明の特徴のより良い理解のため、一連の図が、説明的なメモリと一体的なものとして説明的なメモリに添付される。非限定的な態様における図示のため、以下のものが示されている。
【図１】図１は、一般的な引き出し３の中に配置される前のカラトリートレイ２を示している。符号７は用品が収容されるキャビティを表しており、符号８はスイッチを表しており、符号９は安全エレメントを表している。
【図２】図２は、カラトリー保持トレイ２の断面を示している。カラトリー保持トレイ２の内側には、光放射の生成源１ａおよび電源６が視認される。符号８はスイッチを表しており、符号９は安全エレメントを表している。
【図３】図３は、カラトリートレイ２を示している。トレイの外側にある光放射の生成源１ｂが視認される。符号７は用品が収容されるキャビティを表しており、符号８はスイッチを表しており、符号９は安全エレメントを表している。
【図４】図４は、スイッチ８を用いることにより電気パワーグリッド４に送られるカラトリー水切り保持具５を示している。
【図５】図５において、内側に、光放射の生成源１ａが視認される。
【発明を実施するための形態】
【００１２】
以下の好ましい形態（図１および図２）に記載される、台所用品のために紫外線および／またはオゾンを生成する殺菌カラトリー保持トレイは、少なくとも１つの紫外線光および／またはオゾンを生成する生成源１ａを備えている。少なくとも１つの紫外線光および／またはオゾンを生成する生成源１ａは、プラスチックの光伝導性の性質を有する本体部２、すなわち前記放射に対する透過性を有する本体部２の中に設けられている。また、プラスチックトレイ２に収容されたバッテリー電源６が設けられている。
予め洗浄された用品が、保持具２のキャビティ７の中に配置されている。光放射の生成源を動作させることにより、紫外線および／またはオゾンを生成する生成源１ａから、トレイのキャビティまたはハウジング７に放射線が放射され、光伝導性のプラスチック材料からなる保持具の表面にわたって光放射が均一に分散する。光伝導性のプラスチック材料は、ポリメタクリル酸などのガラス質のポリマーからなっており、その表面は、異なる屈折率を有するその他のポリマーによって被覆されている。この被覆を得ることは、例えば、この第２のポリマーにおいてカラトリートレイを水に沈め、その後に工程において用いられる溶媒を蒸発させるための乾燥処理を行うことによる。
【００１３】
台所用品のために紫外線および／またはオゾンを生成する殺菌カラトリートレイの動作は、一般的なスイッチ８およびＬＤＲ（光ダイオード抵抗器）センサ９を用いることにより実施される。スイッチ８およびＬＤＲセンサ９は、引き出しが閉鎖されている場合のみ光生成源をオンにする。従って、使用者への放射線照射を防ぐことができる。
【００１４】
エレメントの材料、形状、寸法および配置は、クレームされる発明の本質的な特徴を変えることが含まれない限りにおいて変更され得る。
【手続補正２】
【補正対象書類名】特許請求の範囲
【補正対象項目名】全文
【補正方法】変更
【補正の内容】
【特許請求の範囲】
【請求項１】
微生物および病原菌因子を殺すために紫外線放射および／またはオゾンを生成する様式を用いるタイプの殺菌装置であって、
カラトリーを収容するためのキャビティ（７）を有する、開放および成形された表面によって、一般的なカラトリートレイとして構成されており、従来のカラトリートレイを置き換えることにより、据え付けの必要無く台所の引き出し（３）または台所用品のカップボードの中へ導入され得るようになっており、
少なくとも１つの紫外線光および／またはオゾンを生成する生成源（１ａ）を備え、
前記生成源（１ａ）は、光放射に対してカラトリーを露出させることによりカラトリーを衛生処理するため、カラトリートレイ（２）の内側から光を放射し、
紫外線および／またはオゾンを生成することによる殺菌作用がもたらされるカラトリートレイを構成する材料は、光伝導性のプラスチックの性質および放射に対する透過性を有し、この特性が、カラトリーを収容するキャビティへの均一な拡散を可能にし、
カラトリートレイを収容する引き出しが開放状態となっている場合に放射の生成源への電力の供給を止めることにより、カラトリートレイが光の生成源から放射されることを防ぐ電気的または機械的安全システム（９）を有するバッテリー電力源（６）が設けられており、これによって、使用者への放射の生成源の露出を防ぐことができることを特徴とする殺菌装置。
【請求項２】
カラトリーを垂直な姿勢で（図４および図５）保持する台所用品収容用の保持具の内側で一体化された、少なくとも１つの紫外線光および／またはオゾンを生成する生成源（１ａ）を備え、洗浄の後の簡便な水切り、並びに、紫外線放射の利用による衛生処理が可能となっていることを特徴とする請求項１に記載の殺菌装置。
【請求項３】
家庭用品を収容する保持具の表面から光を放射する、少なくとも１つの紫外線光および／またはオゾンを生成する生成源を備え、
前記保持具上で、カラトリートレイそれ自体の外面上に、光放射の生成源（１ｂ）（図３）が表されていることを特徴とする請求項１に記載の殺菌装置。
【手続補正３】
【補正対象書類名】図面
【補正対象項目名】全図
【補正方法】変更
【補正の内容】
【図１】
2011524189.tif 000017
【図２】
2011524189.tif 000018
【図３】
2011524189.tif 000019
【図４】
2011524189.tif 000020
【図５】
2011524189.tif 000021
【国際調査報告】
2011524189.tif 000022
2011524189.tif 000023
2011524189.tif 000024
2011524189.tif 000025
2011524189.tif 000026
2011524189.tif 000027
2011524189.tif 000028
2011524189.tif 000029